(57)【特許請求の範囲】
【請求項１】
背もたれ部にその上下方向に往復移動可能に組み付けられるマッサージ機構を作動させ、着座した使用者に対しマッサージを行うマッサージ椅子であって、
前記背もたれ部の背面における前記マッサージ機構の作動上端位置よりも上部に、手の指部分を掛け止め可能な取っ手用凹部が設けられるとともに、該取っ手用凹部の底部に前記背もたれ部の内部と外部とを連通して前記背もたれ部の内気を排出する通気孔が形成され、前記背もたれ部の背面の下部に前記背もたれ部の内部と外部とを連通して前記背もたれ部の内部に外気を吸入する吸入孔が形成されていることを特徴とするマッサージ椅子。
【請求項２】
請求項１に記載のマッサージ椅子において、
前記マッサージ椅子は、表皮材によって前記背もたれ部の背面を含めて所定部位が被覆されるものであり、その表皮材には、前記通気孔を塞がない開口部が形成され、手の指部分を掛け止め可能な凹部を有する取っ手用部材を前記取っ手用凹部に嵌合させ、前記表皮材の開口部周縁がその取っ手用部材と前記取っ手用凹部とで挟持されていることを特徴とするマッサージ椅子。
【請求項３】
請求項２に記載のマッサージ椅子において、
前記取っ手用部材は、その凹部の開口周縁にフランジ部が設けられ、該フランジ部にて前記表皮材の開口部周縁が前記背面側に押さえられていることを特徴とするマッサージ椅子。
【請求項４】
請求項３に記載のマッサージ椅子において、
前記取っ手用部材のフランジ部には、前記凹部の開口周縁に環状をなすとともに前記背面側に突出する環状凸部が形成されていることを特徴とするマッサージ椅子。
【請求項５】
請求項１〜４のいずれか一項に記載のマッサージ椅子において、
前記取っ手用凹部は、その凹部の開口周縁の下側辺が上側辺よりも外側に迫り出して形成されていることを特徴とするマッサージ椅子。
【発明の詳細な説明】
【技術分野】
【０００１】
本発明は、背もたれ部にマッサージ機構が組み込まれたマッサージ椅子に関するものである。
【背景技術】
【０００２】
背もたれ部にマッサージ機構を組み込んだマッサージ椅子は、背中のつぼや経絡にマッサージ機構の施療子を当てて所定の動作をさせ、血行を促進させることで肩や背中の凝りを解消させるものであって、従来より提案されており、このようなマッサージ椅子は一般家庭・公的施設等にも多く普及している。
【０００３】
ところで、このようなマッサージ椅子は、大型であることから搬送時においてはマッサージ椅子を例えば２人で持って搬送する。そのため、特許文献１に開示されたマッサージ椅子には、背もたれ部の背面の上下方向中間位置に取っ手用凹部が設けられており、これは、背もたれ部を直立させた状態でその取っ手用凹部とオットマンとをそれぞれ持って搬送することを想定してのものであった。
【特許文献１】特開２００６−２２３７２２号公報
【発明の開示】
【発明が解決しようとする課題】
【０００４】
しかしながら、実状では、背もたれ部の上部を後方に倒すとともに、オットマンの下部を上方に上げた状態（即ち、オットマン、座部及び背もたれ部が直線的になる状態）で、一人が背もたれ部の上部を持ち、もう一人がオットマンを持って搬送を行うことが多かった。
【０００５】
そのため、特許文献１のマッサージ椅子では、取っ手用凹部が背もたれ部背面の上下方向中間位置に設定されていることから、上記のように背もたれ部を後方に倒して搬送する場合、搬送者が低い姿勢をとってしかも手を奧まで伸ばすことでやっと取っ手用凹部に手の指部分が掛け止められるため、その取っ手用凹部に手を掛けることが困難であった。また、上下方向中間位置にある取っ手用凹部は、背もたれ部の内部を上下するマッサージ機構との干渉を防止するために浅い形状とすることが強いられるため、これによってもその取っ手用凹部に手を掛けることを困難としていた。そして、これらのことがマッサージ椅子の搬送を困難な作業とする要因となっていた。
【０００６】
また、特許文献１のマッサージ椅子では、取っ手用凹部の底部（奧）に、背もたれ部の内部のマッサージ機構を作動させるモータ等の熱を排出するための複数のスリット状の通気孔が設けられている。これは、通気孔を極力見えない位置に設定してマッサージ椅子の外観が雑然となるのを防止し、意匠性の向上を図るためのものであった。
【０００７】
しかしながら、通気孔が設けられる取っ手用凹部は、背もたれ部の背面の上下方向中間位置に設けられているため、その位置では背もたれ部の内部の熱を外部に十分に放出できず、内部のマッサージ機構の誤動作や故障等に繋がる虞があった。
【０００８】
本発明は、上記課題を解決するためになされたものであって、その目的は、搬送を容易にするとともに、放熱効率を向上可能なマッサージ椅子を提供することにある。
【課題を解決するための手段】
【０００９】
上記課題を解決するために、請求項１に記載の発明は、背もたれ部にその上下方向に往復移動可能に組み付けられるマッサージ機構を作動させ、着座した使用者に対しマッサージを行うマッサージ椅子であって、前記背もたれ部の背面における前記マッサージ機構の作動上端位置よりも上部に、手の指部分を掛け止め可能な取っ手用凹部が設けられるとともに、該取っ手用凹部の底部に前記背もたれ部の内部と外部とを連通して前記背もたれ部の内気を排出する通気孔が形成され、前記背もたれ部の背面の下部に前記背もたれ部の内部と外部とを連通して前記背もたれ部の内部に外気を吸入する吸入孔が形成されていることをその要旨とする。
【００１０】
この発明では、背もたれ部の背面におけるマッサージ機構の作動上端位置よりも上部に、手の指部分を掛け止め可能な取っ手用凹部を設けたことで、例えば背もたれ部の上部を後方に倒して搬送する際（２人での搬送時等）に、取っ手用凹部の位置が搬送者が低い姿勢になる必要なく手の指を掛けやすい位置となるため、持ちやすく搬送を容易に行うことができる。また、取っ手用凹部の底部に前記背もたれ部の内部と外部とを連通する通気孔を形成したことで、通気孔がマッサージ機構の作動上端位置よりも上部に設けられ、例えば背もたれ部内部のマッサージ機構の熱が上昇し通気孔から十分に排出され、放熱効率を向上できる。
また、この発明では、背もたれ部の背面の下部に、背もたれ部の内部と外部とを連痛する通気孔を形成したことで、例えば背もたれ部の背面下部に設けられた通気孔を主として外気を吸入する吸入孔として機能し、通気孔と対で設けることで、背もたれ部の熱の排出をより促進できる。
【００１１】
請求項２に記載の発明は、請求項１に記載のマッサージ椅子において、前記マッサージ椅子は、表皮材によって前記背もたれ部の背面を含めて所定部位が被覆されるものであり、その表皮材には、前記通気孔を塞がない開口部が形成され、手の指部分を掛け止め可能な凹部を有する取っ手用部材を前記取っ手用凹部に嵌合させ、前記表皮材の開口部周縁がその取っ手用部材と前記取っ手用凹部とで挟持されていることをその要旨とする。
【００１２】
この発明では、マッサージ椅子は、表皮材によって前記背もたれ部の背面を含めて所定部位が被覆されるものであり、その表皮材には、前記通気孔を塞がない開口部が形成され、手の指部分を掛け止め可能な凹部を有する取っ手用部材を前記取っ手用凹部に嵌合させ、前記表皮材の開口部周縁がその取っ手用部材と前記取っ手用凹部とで挟持している。このことにより、表皮材によって背もたれ部、ひいてはマッサージ椅子全体の意匠性を向上できるとともに、表皮材の開口部周縁がその取っ手用部材と取っ手用凹部とで狭持することで表皮材のずれを抑制することが可能となる。
【００１３】
請求項３に記載の発明は、請求項２に記載のマッサージ椅子において、前記取っ手用部材は、その凹部の開口周縁にフランジ部が設けられ、該フランジ部にて前記表皮材の開口部周縁が前記背面側に押さえられていることをその要旨とする。
【００１４】
この発明では、取っ手用部材の凹部の開口周縁にフランジ部が設けられ、そのフランジ部にて表皮材の開口部周縁を背面側に押さえたことで、表皮材が浮き上がりやすい開口周縁を押さえることができる。また、表皮材をフランジ部にて広く押さえる事ができるため、フランジ部と表皮材とに生じる摩擦が増え、表皮材のずれを抑制できる。
【００１５】
請求項４に記載の発明は、請求項３に記載のマッサージ椅子において、前記取っ手用部材のフランジ部には、前記凹部の開口周縁に環状をなすとともに前記背面側に突出する環状凸部が形成されていることをその要旨とする。
【００１６】
この発明では、取っ手用部材のフランジ部に、凹部の開口周縁に環状をなすとともに背面側に突出する環状凸部を形成したことで、この環状凸部にて表皮材の開口部を押さえることができるため、表皮材のずれを抑制することができる。
【００１９】
請求項５に記載の発明は、請求項１〜４のいずれか一項に記載のマッサージ椅子において、前記取っ手用凹部は、その凹部の開口周縁の下側辺が上側辺よりも外側に迫り出して形成されていることをその要旨とする。
【００２０】
この発明では、取っ手用凹部をその開口周辺の下側辺が上側辺よりも外側に迫り出して形成したことで、例えば背もたれ部の上端から背面下部に向かって人の手を摺動させたときに下側辺の迫り出しに触れることとなるため取っ手用凹部の位置がわかりやすい。また、請求項２に適用した場合、その取っ手用部材を取っ手用凹部に倣った形状とすることで、取っ手用部材を用いる場合でも同様の効果を奏することができる。
【発明の効果】
【００２１】
本発明によれば、搬送を容易にするとともに、放熱効率を向上可能なマッサージ椅子を提供することができる。
【発明を実施するための最良の形態】
【００２２】
以下、本発明を具体化した一実施形態を図面に従って説明する。
図１に示す本実施形態のマッサージ椅子１０では、脚部１１が床面に載置されるとともに、その脚部１１にはマッサージ椅子１０の幅方向両端にそれぞれ配置された側壁１２が支持固定されている。この側壁１２の上面における前後両端部には、上方に延びる支持部１３がそれぞれ固定されるとともに、該支持部１３には使用者の腕や肘等を置くためのアーチ状の肘掛け１４が掛け渡されて固定されている。左右の側壁１２間には使用者が着座可能な座部１５が固定されるとともに、その座部１５の前方下部には使用者の足乗せのためのオットマン１６が設けられており、座部１５の後部には、着座した使用者が背中をもたれ掛けさせるための背もたれ部１７が傾動可能に設けられている。
【００２３】
図３に示すように、背もたれ部１７において、前面が開口された硬質樹脂材料等からなる本体ケース１８内にマッサージ機構１９が組み込まれている。本体ケース１８には、背もたれ部１７の下部から上部にかけて前面側が開口されている収容空間が設けられ、その空間内には使用者の背中のマッサージを行うマッサージ機構１９がガイドレール２０に沿って上下方向に往復移動可能に組み付けられている。マッサージ機構１９には、モータ２１を含む各種駆動モータが備えられており、これら各種の駆動モータの駆動によってマッサージ機構１９の上下動や該マッサージ機構１９に備えられる一対の施療子１９ａの所定施療動作が行われる。このような施療子１９ａを有するマッサージ機構１９を含めた本体ケース１８の全体は、皮革等からなる表皮材２２によって被覆されている。そして、施療子１９ａが本体ケース１８から前方に突出して表皮材２２の内側面と摺接し、該施療子１９ａが表皮材２２を介して使用者に刺激を与えることで、使用者の肩や腰、背中といった各施療部位に対し、揉みや擦り、叩き等の各種マッサージを施すようになっている。
【００２４】
背もたれ部１７の背面１７ａにおいて、本体ケース１８におけるマッサージ機構１９の作動上端位置Ａよりも上部には、背もたれ部１７の幅方向に連続して長い長方形状の開口部２３を有し運搬時の手の指部分が十分に掛け止め可能な取っ手用凹部２４が一体に形成されている。取っ手用凹部２４は、背もたれ部１７の上下方向に対して直交する方向（前面側）に凹設されており、マッサージ機構１９が配置されているよりも深く凹設されている。この場合、取っ手用凹部２４は、マッサージ機構１９の作動上端位置Ａよりも上部に位置しているため、深い形状であってもマッサージ機構１９との干渉が防止されている。また、取っ手用凹部２４は、背面１７ａにおける本体ケース１８の外側面が下方に向かう程、若干膨出する曲面形状をなしていることから、該凹部２４の開口部２３の下側辺２５が上側辺２６よりも外側に迫り出す形状となっている。
【００２５】
また、取っ手用凹部２４の底部（奥側面）には、スリット状をなす複数の通気孔２７が背もたれ部１７の幅方向に並んで設けられている。通気孔２７は、背もたれ部１７（本体ケース１８）の内部と外部とを連通する孔である。通気孔２７は、複数の孔が並ぶことで雑然となりがちであるとともに、孔を介して背もたれ部１７の内部が見えてしまうため、周囲の人から目立たない取っ手用凹部２４の底部（奥側面）に設定され、意匠性の向上を狙っている。そして、このような通気孔２７を設けることで、マッサージ機構１９（モータ２１）の作動等により生じる背もたれ部１７内の熱が外部に排出され、しかも通気孔２７が設けられる取っ手用凹部２４がマッサージ機構１９の作動上端位置Ａよりも上部に設定されていることから、背もたれ部１７内の熱が上昇するその上部から効果的に外部に排出されるようになっている。
【００２６】
また、図２に示すように、この通気孔２７に対応して、背面１７ａにおける本体ケース１８の下部にも、スリット状をなす複数の通気孔２８が背もたれ部１７の幅方向に並んで設けられている。この通気孔２８は、主として外気を吸入する吸入孔として機能し、上記した通気孔２７と対で設けることで、背もたれ部１７（本体ケース２３）の熱の排出がより促進される。
【００２７】
図４に示すように、表皮材２２は取っ手用凹部２４の開口部２３を塞がない形状に開口部２２ａが形成されるとともに、その表皮材２２の開口部２２ａ周縁のそれぞれの先端には硬質樹脂材料からなる板状部材２９が固定されており、開口部２２ａ周縁と板状部材２９を取っ手用凹部２４の底部側に折り込まれる。また、その表皮材２２の開口部２２ａ周縁と板状部材２９とを取っ手用凹部２４と取っ手用凹部２４より一回り小さい凹状の取っ手部材３０とで挟むようにして、取っ手部材３０が取っ手用凹部２４に嵌合されている。取っ手部材３０の底部には、取っ手用凹部２４の底部に設けられた複数の通気孔２７を塞がない様、同様の通気孔２７ａが形成されている。取っ手部材３０の開口部３１の周縁には外側に広がるフランジ部３２が形成されている。このフランジ部３２にて表皮材２２の開口部２２ａ周縁を背面１７ａ側に押さえたことで、表皮材２２が浮き上がりやすい開口部２２ａ周縁を押さえることができる。また、表皮材２２をフランジ部３２にて広く押さえる事ができるため、フランジ部３２と表皮材２２とに生じる摩擦が増え、表皮材２２のずれを抑制できる。
【００２８】
また、図５に示すように、前記フランジ部３２の先端には、環状凸部３３を設けるとともに、この環状凸部３３が表皮材２２に食い込むことで、表皮材２２のずれをより確実に抑制している。更に、表皮材２２の開口部２２ａ周縁の先端に板状部材２９を固定したことで、表皮材２２が多少伸縮したり、表皮材２２がずれたりしても板状部材２９が取っ手用凹部２４と取っ手部材３０とで引っ掛かるため、抜け止めの役目を担っている。尚、取っ手部材３０は、取っ手用凹部２４に倣った形状に形成しているため、取っ手部材３０の開口部３１の下側辺３４が上側辺３５よりも外側に迫り出す形状となっている。そのため、例えば、背もたれ部１７上端から背面１７ａ下部に向かって手を摺動させたとき、上側辺３５より外側に迫り出している下側辺３４と衝突しやすくなるため、自然と取っ手部材３０の位置がわかりやすい。
【００２９】
このように構成されたマッサージ椅子１０において、搬送時に多く行われている背もたれ部１７の上部を後方に倒すとともに、オットマン１６の下部を上方に上げた状態（即ち、オットマン１６、座部１５及び背もたれ部１７が直線的になる状態）では、取っ手部材３０の位置が搬送者が低い姿勢になる必要なく手の指を掛けることができるため、持ちやすく搬送を容易に行うことができるようになっている。
【００３０】
次に、本実施形態の特徴的な作用効果を記載する。
（１）背もたれ部１７の背面１７ａにおけるマッサージ機構１９の作動上端位置Ａ（図３参照）よりも上部に、手の指部分を掛け止め可能な取っ手用凹部２４を設けたことで、それに倣って形成された取っ手部材３０は背もたれ部１７上部を後方に倒して搬送する際（２人での搬送時）に、取っ手部材３０の位置が搬送者が低い姿勢になる必要なく手の指を掛けやすいため、持ちやすく搬送を容易に行うことができる。また、取っ手用凹部２４の底部及び取っ手部材３０の底部に背もたれ部１７の内部と外部とを連通する通気孔２７（２７ａ）を形成したことで、通気孔２７（２７ａ）がマッサージ機構１９の作動上端位置Ａよりも上部に設けられ、背もたれ部１７内部のマッサージ機構１９（モータ２１）の熱が上昇し通気孔２７（２７ａ）から十分に排出され、放熱効率を向上できる。
【００３１】
また、背もたれ部１７の背面１７ａの下部に、背もたれ部１７の内部と外部とを連痛する通気孔２８を形成したことで、背もたれ部１７の背面１７ａ下部に設けられた通気孔２８を主として外気を吸入する吸入孔として機能し、通気孔２７と対で設けることで、背もたれ部１７の熱の排出をより促進できる。
【００３２】
（２）表皮材２２によって背もたれ部１７を被覆されるものであり、その表皮材２２には、通気孔２７（２７ａ）を塞がない開口部２２ａが形成され、手の指部分を掛け止め可能な凹部を有する取っ手部材３０を取っ手用凹部２４に嵌合させ、表皮材２２の開口部２２ａ周縁がその取っ手部材３０と取っ手用凹部２４とで挟持している。このことにより、表皮材２２によって背もたれ部１７、ひいてはマッサージ椅子１０全体の意匠性を向上できるとともに、表皮材２２の開口部２２ａ周縁がその取っ手部材３０と取っ手用凹部２４とで狭持することで表皮材２２のずれを抑制することが可能となる。
【００３３】
また、取っ手部材３０の開口部３１周縁にフランジ部３２が設けられ、そのフランジ部３２にて表皮材２２の開口部２２ａ周縁が背面１７ａ側に押さえたことで、表皮材２２が浮き上がりやすい開口部２２ａ周縁を押さえることができる。また、表皮材２２をフランジ部３２にて広く押さえる事ができるため、フランジ部３２と表皮材２２とに生じる摩擦が増え、表皮材２２のずれを抑制できる。
【００３４】
更に、取っ手部材３０のフランジ部３２の先端に、取っ手部材３０の開口部３１周縁に環状をなすとともに背面１７ａに突出する環状凸部３３を形成したことで、この環状凸部３３にて表皮材２２の開口部２２ａを押さえることができるため、表皮材２２のずれを更に抑制することができる。
【００３５】
（３）取っ手用凹部２４に倣い、取っ手部材３０の開口部３１の下側辺３４が上側辺３５よりも外側に迫り出して形成したことで、背もたれ部１７の上端から背面１７ａに向かって手を摺動させたときに開口部３１の下側辺３４に衝突するため取っ手用凹部２４の位置がわかりやすい。
【００３６】
尚、本発明の実施形態は、以下のように変更してもよい。
・上記実施形態では、本体ケース１８及び背もたれ部１７全体を皮革等からなる表皮材２２によって被覆するとともに、取っ手用凹部２４に取っ手部材３０を嵌合し、取っ手部材３０を搬送時に使用する取っ手としているが、こうした構成に限らず、例えば図６に示すように本体ケース１８の背面側を表皮材２２にて被覆しない仕様のものにおいては、本体ケース１８の取っ手用凹部２４を取っ手として使用してもよい。
【００３７】
・上記実施の形態では、取っ手部材３０のフランジ部３２の先端に、取っ手部材３０の開口部３１周縁に環状をなすとともに背もたれ部１７の背面１７ａに突出する環状凸部３３を開口部３１周縁に環状をなすように形成したが、こうした構成に限らず、環状ではなく、例えば所定の間隔で凸部を設けてもよい。また、例えば環状凸部３３を形成しなくともよい。
【００３８】
・上記実施の形態では、取っ手部材３０の開口部３１にフランジ部３２を設けているが、こうした構成に限らず、フランジ部３２を設けなくてもよい。
・上記実施の形態では、背もたれ部１７の背面１７ａ下部に複数の通気孔２８を設けているが、これ以外の位置に設けてもよい。
【図面の簡単な説明】
【００３９】
【図１】本実施形態におけるマッサージ椅子の外観を示す斜視図である。
【図２】本実施形態におけるマッサージ椅子の外観を示す斜視図である。
【図３】同上のマッサージ椅子の背もたれ部の断面図である。
【図４】同上のマッサージ椅子の背もたれ部背面の構成斜視図である。
【図５】同上のマッサージ椅子の取っ手部分及び通気孔の部分断面図である。
【図６】別例におけるマッサージ椅子の外観を示す斜視図である。
【符号の説明】
【００４０】
１０…マッサージ椅子、１７…背もたれ部、１７ａ…背面、１９…マッサージ機構、２２…表皮材、２２ａ…開口部、２４…取っ手用凹部、２５…下側辺、２６…上側辺、２７…通気孔、２８…通気孔、３０…取っ手部材（取っ手用部材）、３２…フランジ部、３３…環状凸部、Ａ…作動上端位置。
【図１】
0005053778.tif 000002
【図２】
0005053778.tif 000003
【図３】
0005053778.tif 000004
【図４】
0005053778.tif 000005
【図５】
0005053778.tif 000006
【図６】
0005053778.tif 000007